(57)【要約】【課題】ロール状画像記録材料との接着を防止し、さらにロール状画像記録材料を引き出す際の引き出し抵抗を低化させたロール状画像記録材料用マガジンを提供すること。【解決手段】ケーシング内に回転自在に設けられたロール状の画像記録材料を該ケーシングのスロットから引き出すように構成され、該スロットの長手方向全域に沿って該スロットを閉じる押圧力を有する弾性板及びこの弾性板に当接する布部材が設けられた画像記録材料用マガジンであって、該弾性板が吸水率０．０１質量％以下のポリオレフィン系樹脂のプラスチックシートからなり、その表面にエンボス加工が施され、該弾性板の先端部分にはエンボス加工の施された面において該画像記録材料に当接する湾曲面が形成されたことを特徴とする画像記録材料用マガジン。【選択図】　　　　　図２
2004085886.tif 000002
【特許請求の範囲】
【請求項１】
ケーシング内に回転自在に設けられたロール状の画像記録材料を該ケーシングのスロットから引き出すように構成され、該スロットの長手方向全域に沿って該スロットを閉じる押圧力を有する弾性板及びこの弾性板に当接する布部材が設けられ、該弾性板は該画像記録材料が引き出されるときに該画像記録材料をその厚み方向に押圧する力を生じる角度をもって該スロット近傍のマガジン内に設けられた支持部に固定された画像記録材料用マガジンであって、該弾性板が吸水率０．０１質量％以下のポリオレフィン系樹脂のプラスチックシートからなり、その表面にエンボス加工が施され、該弾性板の先端部分にはエンボス加工の施された面において該画像記録材料に当接する湾曲面が形成されたことを特徴とする画像記録材料用マガジン。
【請求項２】
ケーシングが方形筒状の胴体部分と該胴体部分の両端を封じる２つの端キャップにより構成され、弾力性を有する布部材が該弾性板により押圧を受けるスロットの上唇内方側面に貼着され、弾性板の先端部分に形成された湾曲面がＵ字型である請求項１記載の画像記録材料用マガジン。
【発明の詳細な説明】
【０００１】
【発明の属する技術分野】
本発明は、ロール状画像記録材料用マガジンに関する。
【０００２】
【従来の技術】
特公平６−１９５２５にはロール状感光材料を収納するマガジンについて、その出口スロット部を遮光する方法として、出口スロットを閉じる押圧力を有する遮光用のプラスチックフィルム又は金属フィルムからなる弾性板が取り付けられた構造が開示されている。その弾性板はその先端部分が感光材料に当接する湾曲面に形成され、感光材料にキズを付けないように滑面に形成されている。これにより、マガジンの出口スロット間隔が変動しても安定的な遮光効果をもたらすこと、及び引き出し抵抗が安定化するという効果も得られることが開示されている。
このマガジン構造は、感光性を有さない一般的な画像記録材料の収納においても、そのロール状画像記録材料にキズを付けないこと、及び引き出し抵抗を安定化できる効果があることはもちろんである。ロール状画像記録材料に用いる場合、具体的には、その弾性板として１７５μｍＰＥＴベースを用いマガジンを製作して実用化していたが、高湿度条件下（２５℃８５％ＲＨ×４ｄａｙ）において、画像記録材料と接着する現象が生じ、画像記録材料の画像不良、引き出し抵抗が高くなる等の不具合が生じていた。
【０００３】
【発明が解決しようとする課題】
本発明が解決しようとする課題は、ロール状画像記録材料との接着を防止し、さらにロール状画像記録材料を引き出す際の引き出し抵抗を低化させたロール状画像記録材料用マガジンを得ることである。
【０００４】
【課題を解決するための手段】
上記課題は、以下の手段によって達成された。
（１）ケーシング内に回転自在に設けられたロール状の画像記録材料を該ケーシングのスロットから引き出すように構成され、該スロットの長手方向全域に沿って該スロットを閉じる押圧力を有する弾性板及びこの弾性板に当接する布部材が設けられ、該弾性板は該画像記録材料が引き出されるときに該画像記録材料をその厚み方向に押圧する力を生じる角度をもって該スロット近傍のマガジン内に設けられた支持部に固定された画像記録材料用マガジンであって、該弾性板が吸水率０．０１質量％以下のポリオレフィン系樹脂のプラスチックシートからなり、その表面にエンボス加工が施され、該弾性板の先端部分にはエンボス加工の施された面において該画像記録材料に当接する湾曲面が形成されたことを特徴とする画像記録材料用マガジン、
（２）ケーシングが方形筒状の胴体部分と該胴体部分の両端を封じる２つの端キャップにより構成され、弾力性を有する布部材が該弾性板により押圧を受けるスロットの上唇内方側面に貼着され、弾性板の先端部分に形成された湾曲面がＵ字型である（１）記載の画像記録材料用マガジン。
【０００５】
【発明の実施の形態】
本発明の好ましい実施態様を、図を用いて説明する。
図１は、本発明の一実施態様としてのロール状画像記録材料用マガジン（以下、単に「マガジン」とも言う。）を示す斜視図であり、図２は、その断面図であり、図３はスロットの拡大断面図である。
本発明のマガジンは、方形筒状の胴体部分１と該胴体部分１の両端を封じる二つの端キャップ４とから成るケーシング内に、長尺のロール状の画像記録材料３を収容し、該胴体部分１の一面の隅に該胴体部分１の全軸方向寸法（巻芯５に沿った方向）にのびる弾性板９及び上唇６を備えたスロット２より該画像記録材料３を引き出す画像記録材料用マガジンである。
【０００６】
スロット２の上唇６は従来の形式のもので唇面に布部材８を施したものであり、一方、これに対する他面全域には断面形状がＵ字型とも云える弾性板９がマガジン内側の支持部７の傾斜面に固着されて設けられている。布部材８は弾力性を有することが好ましく、弾性板９の上の部分は、画像形成材料３が引き出される際に支障がないように、例えばＵ字に屈折した適宜曲率の湾曲面に形成されている。なお、支持部７は胴体部分１と一体に形成されたものや胴体部分１を折り曲げたもの、胴体部分１とは別体のもの、あるいは弾性板９と一体のもの等種々の形態とすることができる。
【０００７】
上述の湾曲面は適宜丸味を持ったもので、適宜な圧力で画像形成材料３を布部材８側へ押し付ける状態にセットされている。すなわち、弾性板９は画像形成材料３の移動方向に対して図示の如く比較的大きな向かい角をもって設けられていることで、押圧された画像形成材料３が布部材８側に僅かに沈み込むように押される。また、弾性板９は上述の如き角度でかつ画像形成材料３に当接した状態であると、この画像形成材料３がマガジンから引き出されるときに、この湾曲面が画像形成材料に引きずられるような画像形成材料引き出し方向の力を受ける。この力により弾性板９は支持部７から張り出した部分がこの引き出し方向へ回転しようとして、湾曲部が上唇６側へさらに食い込むような適当な圧力が生じる。
【０００８】
本発明における弾性板９は、吸水率が０．０１質量％以下のポリオレフィン系樹脂のプラスチックシートよりなる。本発明において、吸水率はＡＳＴＭ　Ｄ５７０に準じて測定される値である。吸水率が０．０１質量％を超えると、高湿度条件下において本発明のマガジンを使用する際、画像記録材料と弾性板が接着する、画像記録材料を引き出す際の引き出し抵抗が大きくなる等の不具合が生じる場合がある。
【０００９】
本発明において使用されるポリオレフィン系樹脂としては、例えば各種ポリエチレン樹脂（ＰＥ）および各種ポリプロピレン樹脂（ＰＰ）、ポリブテン樹脂等のポリオレフィン樹脂、プロピレン・エチレン共重合体樹脂、エチレンを主成分とする共重合体樹脂、プロピレンを主成分とする共重合体樹脂、ポリオレフィン架橋樹脂、上述の１または２種以上の混合樹脂等が挙げられ、好ましくはポリエチレン樹脂又はポリプロピレン樹脂、特に好ましくはポリプロピレン樹脂である。
なお、ポリエチレン樹脂、ポリプロピレン樹脂等のＡＳＴＭ　Ｄ５７０に準じて測定される吸水率は、「包装技術便覧」、社団法人　日本包装技術協会、１９９５年７月１日第１版第１刷発行、のＰ４３７表３．４０に記載されている。
【００１０】
また、本発明の弾性板９は、エンボス加工が施されて、その表面が凸凹面を有している。一般的なエンボス加工は、公知のエンボス機械（ｅｍｂｏｓｓｏｒ）を使用し、ポリオレフィン系樹脂のプラスチックシートを加熱軟化させ、冷却したエンボスロールとゴムロールで加圧型付けすることにより行われる。具体的には、プラスチック加工技術便覧編集委員会編、「プラスチック加工技術便覧（新版）」、日刊工業新聞社、昭和４４年１２月５日発行、のＰ３６６〜Ｐ３６７に記載されている。
本発明において使用可能な、エンボス加工を施したポリオレフィン系樹脂のプラスチックシートについては、例えば積水成型工業（株）、アキレス（株）、シーダム（株）等から市販されている。
【００１１】
弾性板９の上の部分は、前述の通り画像形成材料３が引き出される際に支障がないように、エンボス加工の施された側の面が外側になるよう、例えばＵ字型に屈折した適宜曲率の湾曲面に形成されている。Ｕ字型の湾曲面の曲率半径ｒは、０．２〜１．０ｍｍであることが好ましい。
【００１２】
さらに、弾性板９は、画像記録材料が引き出されるときに湾曲面が該画像記録材料をその厚み方向に押圧する力を生じる角度をもってスロットの支持部のマガジン内方側傾斜面に固定されている。
押圧力の調整は、引き出し抵抗が１．９６〜５．８８Ｎ／２１０ｍｍとなるよう、弾性板９の自由端長さ、厚み又は弾性率を変化させることにより行われる。
なお、本発明において引き出し抵抗とは画像記録材料の引き出し、例えば、画像形成装置等による自動引き出し時における抵抗を言い、安定した画像形成を行うためには抵抗を低く保つことが好ましく、使用環境条件下により抵抗が大きくなる等の変動があると好ましくない。
本発明において、弾性板９の自由端長さは１０〜３０ｍｍであることが好ましく、厚さは０．１０〜０．５０ｍｍであることが好ましく、ヤング率（伸び弾性率）は７００〜２，７００Ｍｐａであることが好ましい。また弾性板９と上唇６とが接触する角度θは４０〜７０度であることが好ましい。なお、ヤング率（伸び弾性率）は、ＪＩＳ　Ｋ　７１２７による値である。
【００１３】
湾曲面により押圧を受けるスロットの上唇内方側面には、布部材が貼着されている。布部材は弾力性を有することが好ましく、弾力性は弾性板９のＵ字型の先端部が食い込む程度であれば良い。本発明においては、布部材として例えばポリエステル系テレンプ、不織布等を用いることができる。画像記録材料の引き出し抵抗を低く保つため、ポリエステル系テレンプを用いることが好ましい。
【００１４】
弾性板９は胴体部分１の支持部７に固定されており、弾性板９を胴体部分１に固定する方法としてはいずれの方法を使用してもよく、具体的には両面テープを用いて貼り付ける、ホットメルト接着剤を用いて接着する、ミシンを用いてミシン糸で縫い付ける等の方法を使用することが可能である。本発明においてはミシンを用いてミシン糸で縫い付ける方法を好ましく使用することができる。
【００１５】
ポリオレフィン系樹脂のプラスチックシートには、画像記録材料の引き出し抵抗を安定化させるために滑剤を添加しても良い。例えば特開平８−２５４７９３の段落００７０〜段落００８５に開示されている滑剤を添加することができる。
また、塵の付着防止や記録材料とのスタチック防止のために帯電防止剤を添加しても良い。例えば特開平８−２５４７９３の段落０１６９〜段落０１８４に開示されている帯電防止剤を添加することができる。
【００１６】
胴体部分１の材料としては、例えば段ボール、原紙又はプラスチックが用いられている。段ボール、原紙の場合は折り曲げ加工により組立てを行い、プラスチックの場合は異型押出成型加工又は折り曲げ加工による組立てを行うことができる。
本発明においては、坪量１３０ｇ／ｍ２のライナー及び坪量１３０ｇ／ｍ２の中芯からなるＥフルート段ボールが好ましく使用される。
【００１７】
また、マガジン形状は、方形筒状のものが好ましいが、本発明はこれに限るものではなく、例えば円筒状であってもよいことは勿論である。
【００１８】
胴体部分１の両端を封じる二つの端キャップ４は、胴体部分１の端縁と係合する溝、マガジン内に収容する画像記録材料３を巻装した巻芯５の回転軸受等を構造的に持ったもので（図示せず）、比較的複雑な凹凸構造を有し、必要な剛性、正確な寸法を望まれるのでプラスチックで成型されて作られることが好ましい。
【００１９】
なお、一般的な画像記録材料を装填したマガジンについて説明したが、感光性を有する画像記録材料を装填するマガジンについては、当然のことながら遮光性が要求され、マガジンを構成する各部材は遮光性を確保したものであることが好ましい。例えば、胴体部分１の材料として、その表面に遮光性を有した黒印刷をほどこしたもの、あるいは材料自体にカーボンブラックを練りこんだものを用いることが好ましい。弾性板の材料も同様に、その表面に遮光性を有した黒印刷をほどこす、あるいは弾性材材料自身にカーボンブラックを練りこむ等した黒色材料を用いることが好ましい。さらに、マガジンの上唇に貼付ける布部材として遮光性を有した黒色の布部材、例えば１３５型カートリッジのスリット等に設けられる遮光テレンプ部材を貼ることが好ましく、端キャップ４にもカーボンブラックを練りこんだ材料を用いることが好ましい。このように感光性を有する画像記録材料を装填するマガジンについては、マガジン全体が遮光性を確保できるように構成すればよい。
【００２０】
本発明において、例えば、マガジンに幅２１０ｍｍ、長さ３１ｍのロール状画像記録材料を３インチ紙管に巻き装填し、その両端側を端キャップ４で閉じることによりマガジン包装体を製作することができる。
【００２１】
なお、本発明における画像記録材料とは特に限定するものではなく、プリント、印刷、複写等に使用される、感光材料、熱現像感光材料用受像紙等全ての画像記録材料に用いることができる。感光材料としては銀塩感光材料（熱現像感光材料を含む）に限らず、各種感光材料のフィルム、印画紙等全てを対象とすることができる。
【００２２】
以下に実施例を挙げて本発明をさらに説明するが、本発明はこれらに限定されるものではない。
【００２３】
【実施例】
図１に示す画像記録材料用マガジンを、胴体部分１と弾性板９の固定をＵ字型湾曲面の曲率半径０．５ｍｍ、固定後の自由端長さ２０ｍｍ、θ５２度の条件で作成し、２５℃８５％ＲＨ×４ｄａｙ経過後、画像記録材料の引き出し評価を行った。吸水率の測定は、ＡＳＴＭ　Ｄ５７０に準拠するものである。各構成部材の材料、評価結果を以下に示す。
【００２４】
（胴体部分１）
Ｅフルート段ボール（ライナー坪量１３０ｇ／ｍ２、中芯坪量１３０ｇ／ｍ２）
（弾性板９）
ＰＰエンボスシート：積水成型工業（株）製、ＰＰエンボスシート（ＰＬ−Ｆ３−Ｎ）、吸水率０．０１質量％以下、厚さ０．３８ｍｍ、ヤング率９００ＭＰａ
ＰＰシート：積水成型工業（株）製、一般ＰＰシート、吸水率０．０１質量％以下、厚さ０．３８ｍｍ、ヤング率９００ＭＰａ
ＰＥＴエンボスシート：東レ（株）製、ＰＥＴエンボスシート、吸水率０．３質量％、厚さ０．１８ｍｍ、ヤング率２，６００ＭＰａ
ＰＥＴシート：富士写真フイルム（株）製、一般ＰＥＴシート、吸水率０．３質量％、厚さ０．１８ｍｍ、ヤング率２，６００ＭＰａ
（布部材８）
ポリエステル系テレンプ
（画像記録材料３）
熱現像記録材料（富士写真フイルム（株）製、ピクトロスタット、ピクトログラフィー等の受像面が内側となる状態で巻芯５に巻かれたもの）
【００２５】
評価の結果を表１に示す。
【表１】
2004085886.tif 000003
【００２６】
【発明の効果】
本発明のロール状画像記録材料用マガジンを用いることにより、ロール状画像記録材料との接着を防止し、さらにロール状画像記録材料を引き出す際の引き出し抵抗を低化させることが可能となった。
【図面の簡単な説明】
【図１】本発明の一実施態様としてのロール状画像記録材料用マガジンを示す斜視図である。
【図２】図１のロール状画像記録材料用マガジンの断面を示す模式図である。
【図３】図２のスロットを拡大して示す模式図である。
【符号の説明】
１　　　胴体部分
２　　　スロット
３　　　画像記録材料
４　　　端キャップ
５　　　巻芯
６　　　上唇
７　　　支持部
８　　　布部材
９　　　弾性板
９ｃ　　弾性板自由端
１０　　ミシン糸固定部
θ　　　弾性板及び上唇が接触する角度
ｒ　　　弾性板のＵ字型湾曲面の曲率半径
【図１】
2004085886.tif 000004
【図２】
2004085886.tif 000005
【図３】
2004085886.tif 000006